(57)【要約】【課題】    景品が収納された内箱をカートリッジ式にしてある。外箱の収容部に嵌めることにより、従来のような商品にベタ付けする時間を省略できる。景品の授受に手間を要することがない。かつ、何が当るか分からない面白味があって、射幸心を煽り販売増加につながる。【解決手段】  底板１の周辺に立設する前後壁板４，５と左右壁板６，７によって収容部２５を形成する。その収容部２５の上面開口部を開閉する蓋板１８を有する外箱Ａと、収容部２５に嵌合される別体の内箱Ｂとからなる景品ボックスである。仕切り板２７，２９を交差させて内箱内に多数の区画室３０，３０…を設ける。その区画室３０，３０…に所望の景品Ｃが収納されたカートリッジ式の内箱Ｂであり、その天板３１に区画室３０，３０…と対応する切り取り部３２，３２…を設ける。【選択図】          図５
0003102239.tif 000002
【実用新案登録請求の範囲】
【請求項１】
底板の周辺に立設する前後壁板と左右壁板によって収容部を形成し、その収容部の上面開口部を開閉する蓋板を有する外箱と、収容部に嵌合される別体の内箱とからなる景品ボックスであって、仕切り板を交差させて内箱内に多数の区画室を設け、その区画室に所望の景品が収納されたカートリッジ式の内箱であり、その天板に区画室と対応する切り取り部を設けたことを特徴とする景品ボックス。
【請求項２】
蓋板には長さ方向の中間部の両側辺から内側に向かって所定長さの折り目を設け、その折り目と折り目の間に下方に突出する半円形の切目を刻設し、その切目に囲まれた内面を舌片として上部折り返し片と下部片の二つ折りになるように構成してある請求項１に記載の景品ボックス。
【請求項３】
切目に囲まれた内面の舌片および上部折り返し片の外面に商標、商品名、広告、宣伝文などの表示部を施してある請求項１または請求項２記載の景品ボックス。
【考案の詳細な説明】
【技術分野】
【０００１】
本考案は、例えば、コンビニエンストアーなどで新商品のキャンペーンセールを行う時に、販売促進を目的に購買者に景品をプレゼントする時の景品ボックスに関するものである。
【背景技術】
【０００２】
従来から、商品購入の促進や、来店の頻度を上げて販売増加を図るために、様々なキャンペーンがメーカーや販売店などで行われている。例えば、清涼飲料水、ジュース、コーヒ、お茶などは各飲料メーカーから販売されていて多くの種類があるが、味や品質ならびに商品としてのブランド力以外に、サービスとして景品を付加すると販売増加につながることが分かり、そのようなサービスをすることが行われるようになっている。
【０００３】
飲料には缶とボトルがあり、胴部に点数シールを貼着し、その点数シールを応募ハガキに貼リ付けて応募し、抽選で商品や賞金が当るということが行われている。この場合、ハガキで応募しなければならない煩わしさがあるばかりでなく、商品の購入から当選発表までの日数が比較的長く、かつ商品の発送を以って当選となっているのが通例であるため、相当長い日数を経過しなければ当落が分からないので購買意欲がわかなかった。
【０００４】
また、別の販売促進の方法として、飲料缶の上部周縁から僅かに窪んでいる天板の凹部に景品を配置し、三叉形状や十字形状あるいは円形状に形成された底の浅い保持片で景品を保持たもの。（例えば、特許文献１参照）あるいは、蓋材と身材とからなる円筒形容器の身材の底部に設けられた脚部を飲料缶の上部巻き締め縁に係合し、円筒形容器内に景品を封入すると共に、飲料缶円筒形容器を熱収縮フイルムでシュリンク包装したもの。（例えば、特許文献２参照）
【０００５】
さらに、別な方法として、景品をプラスチックフイルムからなる袋の中に入れ、その袋に缶やボトルに貼り付けるための粘着部を備えてベタ付けすることもある。（例えば、特許文献３参照）
【０００６】
【特許文献１】特開平１０−２５０７４２号公報
【特許文献２】特開平１０−３０５８４５１号公報
【特許文献３】特開２０００−２３７８０２号公報
【考案の開示】
【考案が解決しようとする課題】
【０００７】
しかしながら、前記の特許文献１は、景品が飲料缶の上部周縁から僅かに窪んでいる天板の凹部や底板の凹部に納まる大きさのものに限られる。すなわち、凹部から突出するような厚い立体的なものは適さず、薄い平面的な特定の景品に限られており、購買意欲をそそるものではなかった。また、景品を凹部に納めてから保持部を飲料缶の上面に嵌着させるので、景品が動いたりして邪魔することがあり嵌着作業に手間がかかった。さらに、景品を取り出す時には、保持部の係止片と巻き締め縁と密着係合しているため、非力な子供や老人ではその取り出しに大変苦労をすると言った問題点があった。
【０００８】
前記特許文献２は、身材の底部の脚部と飲料缶の巻き締め縁との係合作業時に、身材を垂直に被せなければ係合しないばかりでなく、蓋材とも係合しなければならず嵌着作業に時間がかかった。また、飲料缶と円筒形状容器を熱収縮フイルムでシュリンク包装して一体化するので、包装作業の工程が増えることになり、コストアップと共に生産効率が悪くなると言った問題点があった。
【０００９】
前記特許文献３は、プラスチックフイルム袋を粘着剤でベタ付けするため、嵩高くなり、大きさの決まったショーケースなどには多く入れることができず適さないばかりでなく、ベタ付けするのに時間がかかった。また、プラスチックフイルム袋は他物との接触で破れて景品が飛び出すことがあった。さらに、透明なプラスチック袋であれば、景品が何であるか事前に判明するので面白味に欠けると言った問題点があった。
【００１０】
本考案は、上記の問題を解決することを課題として研究開発されたもので、景品が収納された内箱をカートリッジ式にして、外箱の収容部に嵌めることにより、従来のような商品にベタ付けする時間を省略でき、景品の授受に手間を要することなく、かつ、何が当るか分からない面白味があって、射幸心を煽り販売増加につながる景品ボックスを提供することを目的とするものである。
【課題を解決するための手段】
【００１１】
上記の課題を解決し、その目的を達成する手段として、本考案は、底板の周辺に立設する前後壁板と左右壁板によって収容部を形成し、その収容部の上面開口部を開閉する蓋板を有する外箱と、収容部に嵌合される別体の内箱とからなる景品ボックスであって、仕切り板を交差させて内箱内に多数の区画室を設け、その区画室に所望の景品が収納されたカートリッジ式の内箱であり、その天板に区画室と対応する切り取り部を設けたことを特徴とする景品ボックスを開発し、採用した。
【００１２】
また、上記のように構成した本考案の景品ボックスにおいて、蓋板には長さ方向の中間部の両側辺から内側に向かって所定長さの折り目を設け、その折り目と折り目の間に下方に突出する半円形の切目を刻設し、その切目に囲まれた内面を舌片として上部折り返し片と下部片の二つ折りになるように構成してある景品ボックス、および切目に囲まれた内面の舌片および上部折り返し片の外面に商標、商品名、広告、宣伝文などの表示部を施してある景品ボックスを開発し、採用した。
【考案の効果】
【００１３】
従来のように、景品を製品個々に取り付ける必要がなく、店頭のカンターなどに景品ボックスを置いて購買者に直接引いてもらうことにより、景品の授受が簡単になり効率的である。その時に、何が当るか、の楽しみがあって購買意欲を喚起させ販売増加につながる。また、景品は内箱の中の仕切り板によって形成された区画室に収容されているから移動することなく、整然とした状態で収まっていると共に、仕切り版で保護されることから損傷することもない。
【００１４】
さらに、景品が収納された内箱はカートリッジ式であるから、景品がなくなれば内箱のみ補充すればよく、外箱はそのまま長期に亘って使えることができ経済的である。また、景品を購買者の欲する景品に直ぐ取り替えることもできる。さらに、蓋板の一部が表示部になっているので、自然に商標や商品の広告、宣伝文が目に入りおぼえることになり販売効果がある。
【考案を実施するための最良の形態】
【００１５】
以下に本考案の実施の形態を添付図面に基づいて説明すれば、本考案の景品ボックスは、１枚の厚紙を打ち抜き周壁板を折り曲げて組み立てた上面開口する収容部を有する外箱Ａと、その外箱Ａの収容部に嵌る大きさの別体の内箱Ｂとから構成されている。
【００１６】
外箱Ａは図１に内面を表側とした展開平面図で示すように、縦長長方形の底板１の前後、左右の各辺に横折り目２，２、縦折り目３，３を設けて前壁板４、後壁板５および右側壁板６、左側壁板７を連設し、前壁板４および右側壁板６、左側壁板７に細幅の頂面板８，９，１０を介して折込み前壁板１１および折込み右側壁板１２、折込み左側壁板１３を連設してあり、その折込み前壁板１１の左右部に係止突片１４，１４を設け、折込み右側壁板１２、折込み左側壁板１３の前部、中部、後部に係止突片１４，１４，１４を突設し、底板１の横折り目２と縦折り目３，３に設けた係止孔１５，１５、１５，１５，１５と係合するようになっている。１６は前壁板４と右側壁板６、左側壁板７および後壁板５と右側壁板６および左側壁板７との連結折込み片、１７は折込み右側壁板１２、折込み左側壁板１３の端部に設けた差込片である。
【００１７】
１８は後壁板５の後方に連設する底板１と同じ大きさの蓋板で、長さ方向の中間部の両側片から内側に向かって所定長さの横折り目１９，１９を入れ、その折り目１９，１９間に下方に突出する半円形の切目２０を刻設してあると共に、その切目２０に囲まれた内面を舌片２１に形成してある。２２は折り目１９を介して折り曲がる上部折り返し片、２３は下部片、２４は蓋板１８の端部に設けた差込片である。前記舌片２１および上部折り返し片２２の外面には商標、商品名、広告、宣伝文などの表示部２１ａが印刷されている。
【００１８】
一方、景品Ｃが収納される内箱Ｂは、前記外箱Ａの収容部２５に嵌る大きさの交換容易なカートリッジ式のものであり、その内部に、図７に示すように、長さ方向に所定間隔毎で下辺から上辺に向かって切り込まれた切り込み部２６，２６……を有する縦仕切り板２７と、幅方向に所定間隔毎で上辺から下辺に向かって切り込まれた切り込み部２８，２８……を有する横仕切り板２９を用い、切り込み部２６，２６……と切り込み部２８，２８……を係合して井桁に組み多数の区画室３０を形成し、その区画室３０に景品Ｃを収納してある。３１は内箱Ｃの天板であり、その天板３１には前記の区画室３０に対応する位置に切り取り部３１を形成してある。
【００１９】
このように構成した本考案の景品ボックスの組み立てを説明すると、図２に示すように、外箱Ａの底板１の周辺に連設した前壁板４、後壁板５および右側壁板６、左側壁板７を横折り目２，２および縦折り目３，３を介して起立させ、続いて細幅の頂面板６、７、８を介して内面側に折込み前壁板９および折込み右側壁板１０、折込み左側壁板１１に設けた係止突片１４，１４、１４，１４，１４を底板１の下辺と両側辺に設けた係止孔１５，１５、１５，１５，１５と係合することにより、上面開口する収容部２５が形成される。その収容部２５に別体のカートリッジ式の内箱Ｂを嵌める。
【００２０】
外箱Ａにの蓋板１８は、図５に示すように、折り目１９，１９を介して上部折り返し片２２と下部片２３に二つ折りされ、上部折り返し片２２とその先端部の差込片２４が脚部支持片となって景品ボックスを支持する。この時、切目２０に囲まれた舌片２１の外面に印刷された商標、商品名、広告、宣伝文などの表示部２１ａが表側に現れて購入者の目に触れ、キャンペーン中の商品をアッピールできる。
【００２１】
つぎに、その実施の形態の使用状態を作用、効果と共に説明すると、例えば、コンビニエンストアーなどの店頭のカウンターに景品ボックスを置き、キャンペーン中の商品を購入した人を対象にサービスする。すなわち、購入者が直接、内箱Ｂの天板３１の切り取り部３２を切り取ることにより、区画室３０の中に入っている景品Ｃをもらう事ができ、景品の授受が容易になる。この景品をアタリの商品とハズレの商品を混入しておけば面白味が倍増する。この時、舌片２１の外面および上部折り返し片２２の外面に表示された商標、商品名、宣伝、広告文などが表側になり、その表示部２１ａが自然に目に入り商品をおぼえることになり販売増加につながる。
【００２２】
全ての切り取り部３２が開口して景品がなくなると、内箱Ｂがカートリッジ式になっていることから、内箱Ｂを交換するだけでよい。また、外箱Ａの蓋板１８の上部折り返し片２２と差込片２４が脚部支持片になっているから安定した状態で設置できる。また、運搬輸送時においては、図９に示すように、内箱Ｂの上から蓋板１８が覆っているので内箱Ｂを損傷することもなくなる。
【００２３】
以上、本考案の主要な実施例について説明したが、本考案はこれらの実施例に限定されるものではなく、本考案の目的を達成でき、かつ考案の要旨を逸脱しない範囲内で種々設計変更が可能であり、それらも全て本考案の範囲内に包含されるものである。
【産業上の利用可能性】
【００２４】
本考案は、メーカーの新商品キャンペーンセールや小売店のキャンペーンセールの景品サービスとしてだけでなく、所定の金額を支払う事により、内箱内の商品を引き当てると言う当て物としても利用できるものである。
【図面の簡単な説明】
【００２５】
【図１】外箱の展開平面図である。
【図２】収容空間部が形成された外箱の斜視図である。
【図３】内箱の斜視図である。
【図４】内箱の一部切欠斜視図である。
【図５】使用状態を示す斜視図である。
【図６】図５のＡ−Ａ線拡大断面図である。
【図７】縦仕切り版と横仕切り板の正面図である。
【図８】内箱内部の簡略拡大平面図
【図９】外箱の蓋板を閉鎖した状態の斜視図である。
【符号の説明】
【００２６】
Ａ      外箱
Ｂ      内箱
Ｃ      景品
１      底板
４      前壁板
５      後壁板
６      右側壁板
７      左側壁板
１８    蓋板
１９    横折り目
２０    切目
２１    舌片
２１ａ  表示部
２２    上部折り返し片
２３    下部片
２５    収容部
２７    縦仕切り板
２９    横仕切り板
３０    区画室
３１    天板
３２    切り取り部
【図１】
0003102239.tif 000003
【図２】
0003102239.tif 000004
【図３】
0003102239.tif 000005
【図４】
0003102239.tif 000006
【図５】
0003102239.tif 000007
【図６】
0003102239.tif 000008
【図７】
0003102239.tif 000009
【図８】
0003102239.tif 000010
【図９】
0003102239.tif 000011